(57)【要約】【課題】ＧＵＩと文字放送にかかる文字情報とを同時に表示行うことが出来ない機器であったとしても、ユーザーの取り扱いが便利となるよう対処した表示制御装置及び表示制御方法を提供することを目的とする。【解決手段】ＧＵＩを表示するためのリモートコントローラ１１７の操作（第１の操作）に応じて、ディスプレイに表示された文字放送に係る文字情報を一旦消去してＧＵＩを表示し、当該ＧＵＩを消去するリモートコントローラ１１７の操作（第２の操作）に応じてディスプレイに文字情報を再表示するよう制御する制御モジュール２６１を備える。【選択図】  図２
2011041068.tif 000002
【特許請求の範囲】
【請求項１】
放送波から文字情報を分離する分離モジュールと、
前記文字情報をデコードするデコーダーと、
ＧＵＩを生成するＧＵＩ処理モジュールと、
前記デコーダーにてデコードされた文字情報と、前記ＧＵＩ処理モジュールにて生成されたＧＵＩのいずれか一方を選択的にディスプレイに表示するよう処理する表示処理モジュールとを備え、
前記ＧＵＩを前記ディスプレイに表示するための第１の操作に応じて、前記ディスプレイに表示された前記文字情報を消去し、かつ前記ディスプレイに文字情報が表示されていたことの関連情報を記憶するメモリーと、
前記ＧＵＩを前記ディスプレイから消去するための第２の操作に応じて、前記メモリーにて記憶された前記関連情報を用いて、前記ディスプレイに文字情報を再表示するよう制御する制御モジュールとを備えることを特徴とする表示制御装置。
【請求項２】
リモートコントローラからのコマンドを受信するコマンド受信モジュールを更に備え、
前記制御モジュールは、前記コマンド受信モジュールにて受信するコマンドが、前記文字情報の再表示の処理を妨げる所定コマンドを含むか判定する判定モジュールを含み、
前記コマンド受信モジュールにて受信するコマンドが、前記所定コマンドを含むと前記判定モジュールにて判定された場合には、前記所定コマンドを実行させないよう制御することを特徴とする請求項１に記載の表示制御装置。
【請求項３】
前記所定コマンドは、チャンネル切り替えコマンド、入力切替コマンド、番組表表示コマンドの少なくともいずれか一つであることを特徴とする請求項２に記載の表示制御装置。
【請求項４】
前記制御モジュールは、前記リモートコントローラからコマンドを受信するに伴い、前記第１の操作に応じて前前記文字情報が消去された状態であるか否かを確認する確認モジュールを含むことを特徴とする請求項２に記載の表示制御装置。
【請求項５】
前記ＧＵＩは、設定メニュー、録画予約メニュー、番組表メニューの少なくともいずれかであることを特徴とする請求項１に記載の表示制御装置。
【請求項６】
放送波から文字情報を分離するステップと、
前記文字情報をデコードするステップと、
ＧＵＩと前記デコードされた文字情報のいずれか一方を選択的にディスプレイに表示するよう制御するステップとを有し、
前記ＧＵＩを前記ディスプレイに表示するための第１の操作に応じて、前記ディスプレイに表示された前記文字情報を消去するステップと、
前記第１の操作に応じて表示されたＧＵＩを前記ディスプレイから消去するための第２の操作に応じて、前記ディスプレイに文字情報を再表示するステップとを有することを特徴とする表示制御方法。
【発明の詳細な説明】
【技術分野】
【０００１】
この発明は、文字放送を表示する機能を備えた表示制御装置及び表示制御方法に関する。
【背景技術】
【０００２】
テレビジョン受信装置に備わる機能として、文字放送データが重畳されたデジタル放送信号を受信し、文字情報を表示する機能が知られている。この機能について更に詳しく言えば、放送信号の垂直帰線期間の一部に、文字や図形などの文字データが多重伝送され、多重された文字データをデコードして元の文字や図形などの文字情報を表示できるようにした機能である。
【０００３】
当該文字放送データの中には、字幕サービス・ニュースサービス・天気予報サービス・株式情報サービス・テレビ番組ガイドサービスなどが例えば含まれている。このように、ユーザーは文字放送によって多数のサービスを受けることができる。
【０００４】
例えば、特許文献１には、放送受信装置において、文字放送データを表示するための文字図形に展開するデコーダ部と、展開された文字図形を表示するために格納する文字多重表示メモリと、メニュー表示メモリとを備え、各メモリから読み出されたデータを合成する合成部とを備える文字放送受信装置が開示されている。
【０００５】
ところで、上記したように、文字情報の表示は、様々な情報を享受できるのでユーザーにとって非常に有用な機能である。しかし、機器のリソース（ＣＰＵ、メモリ、ソフトウェアなど）に対する処理負荷の関係から、文字情報の表示制御とＧＵＩ（Graphical User Interface）の表示制御を同時に行うことができない場合がある。すなわち、機器のリソースとの関係から文字情報とＧＵＩとをディスプレイに同時に表示できないということがあった。
【先行技術文献】
【特許文献】
【０００６】
【特許文献１】特開平０７−１６２８１７号公報
【発明の概要】
【発明が解決しようとする課題】
【０００７】
この発明は上記事情を考慮してなされたものであり、文字放送による文字情報の表示機能とＧＵＩの表示機能の両者を備える機器であって、文字情報とＧＵＩとを同時に行うことが出来ない機器であったとしても、ユーザーの取り扱いが便利となるように対処した表示制御装置及び表示制御方法を提供することを目的とする。
【課題を解決するための手段】
【０００８】
本発明の主な特徴は以下のとおりである。すなわち、本発明の表示制御装置は、放送波から文字情報を分離する分離モジュールと、前記文字情報をデコードするデコーダーと、ＧＵＩを生成するＧＵＩ処理モジュールと、前記デコーダーにてデコードされた文字情報と、前記ＧＵＩ処理モジュールにて生成されたＧＵＩのいずれか一方を選択的にディスプレイに表示するよう処理する表示処理モジュールとを備え、前記ＧＵＩを前記ディスプレイに表示するための第１の操作に応じて、前記ディスプレイに表示された前記文字情報を消去し、かつ前記ディスプレイに文字情報が表示されていたことの関連情報を記憶するメモリーと、前記ＧＵＩを前記ディスプレイから消去するための第２の操作に応じて、前記メモリーにて記憶された前記関連情報を用いて、前記ディスプレイに文字情報を再表示するよう制御する制御モジュールとを備えることを特徴とする。
【０００９】
また、本発明の表示制御方法は、放送波から文字情報を分離するステップと、前記文字情報をデコードするステップと、ＧＵＩと前記デコードされた文字情報のいずれか一方を選択的にディスプレイに表示するよう制御するステップとを有し、前記ＧＵＩを前記ディスプレイに表示するための第１の操作に応じて、前記ディスプレイに表示された前記文字情報を消去するステップと、前記第１の操作に応じて表示されたＧＵＩを前記ディスプレイから消去するための第２の操作に応じて、前記ディスプレイに文字情報を再表示するステップとを有することを特徴とする。
【発明の効果】
【００１０】
本発明では、ＧＵＩを表示するための第１の操作に応じて、ディスプレイに表示された文字情報を消去し、ＧＵＩを消去するための第２の操作に応じてディスプレイに文字情報を再表示するよう制御する。従って、結果としては、文字情報とＧＵＩとが同時に表示出来るシステムと同等に操作出来るため、ユーザの取り扱いが便利となる。
【図面の簡単な説明】
【００１１】
【図１】本実施形態に係る表示制御装置の概観を示す図である。
【図２】本実施形態に係る表示制御装置の主要な信号処理系を示す図である。
【図３】本実施形態に係る表示制御装置の動作例を示すフローチャート図である。
【図４】本実施形態に係る表示制御装置の動作例を示すフローチャート図である。
【発明を実施するための形態】
【００１２】
以下、この発明の最良の実施形態について、図面を参照しながら説明する。図１は、以下の実施形態で説明するテレビジョン放送受信装置１１１の外観の一例を概略的に示している。
【００１３】
テレビジョン放送受信装置１１１は、主として、薄型の筐体（以下、キャビネット１１２）と、このキャビネット１１２を起立させて支持する支持台１１３とから構成されている。キャビネット１１２には、例えば液晶表示パネルやプラズマパネル等を備えた平面パネル型ディスプレイである映像表示部１１４、一対のスピーカ１１５、操作部１１６、リモートコントローラ１１７から送信される操作情報を受けるリモコン受光部１１８等が設置されている。操作部１１６は、キャビネット１１２の前面ではなく側面に配置されていても構わない。
【００１４】
図２は、テレビジョン放送受信装置１１１のうち本発明に関わる主要な信号処理系の一例を示している。すなわち、地上波放送やＢＳ／ＣＳデジタル放送受信用のアンテナ２４３で受信した放送信号（地上デジタルテレビジョン放送信号や衛星デジタル放送信号）は、入力端子２４４を介してチューナ２４５に供給されることにより、所望のチャンネルの放送信号が選局される。
【００１５】
チューナ２４５から出力された信号は分離モジュール２４６に供給されて、放送番組データと文字情報データ（文字データ）とに分離される。このうち放送番組データはＡＶ(Audio Video)デコーダー２４７に供給されてデコード処理がされた後、映像信号は映像処理モジュール２４８に供給される。映像処理モジュール２４８では、高画質化処理などの映像処理が施される。なお、ＡＶ(Audio Video)デコーダー２４７から出力される音声信号は、音声処理モジュール（不図示）に供給され、音声処理モジュールにて、スピーカで再生可能なフォーマットのアナログ音声信号に変換された後、スピーカにて音声再生される。
【００１６】
また、分離モジュール２４６から出力された文字情報は、文字デコーダー２４９に供給され、文字情報のデコード処理がされ、デコードされた文字情報が後段の文字表示処理モジュール２５０に出力される。
【００１７】
また、テレビジョン放送受信装置１１１はＧＵＩ処理モジュール２５１を備える。ＧＵＩ処理モジュール２５１は、ディスプレイ１１４に表示される様々なメニューのＧＵＩ（Graphical User Interface）データを生成する。ＧＵＩの一例としては、入力（放送、ビデオ１、ビデオ２、ＨＤＭＩ１、ＨＤＭＩ２など）切替メニュー、電子番組表（ＥＰＧ）や各番組の詳細情報などの番組表メニュー、録画予約する番組・時間帯・チャンネル・録画画質などを設定するための録画予約メニュー、録画画質設定、映像設定、音声設定などの各種ユーザー設定メニューを含む。生成されたＧＵＩデータは後段の文字表示処理モジュール２５０に出力される。
【００１８】
上記のとおり、文字デコーダー２４９から出力される文字情報データとＧＵＩ処理モジュールから出力されるＧＵＩデータの両者が文字表示処理モジュール２５０に供給される。文字表示処理モジュール２５０は、供給された文字情報（文字データ）とＧＵＩ（ＧＵＩデータ）のいずれか一方を選択的に後段の合成処理モジュール２５２に出力する。すなわち、本実施形態のテレビジョン放送受信装置１１１では、当該装置のリソース（ＣＰＵ、メモリ、ソフトウェアなど）に対する処理負荷の関係から、文字情報の表示制御とＧＵＩ（Graphical User Interface）の表示制御を同時に行わない仕様になっている。
【００１９】
映像処理モジュール２４８から出力されたデジタルの映像信号と、文字表示処理モジュール２５０から出力された文字情報とＧＵＩのいずれか一方とが合成処理モジュール２５２に供給される。合成処理モジュール２５２では、映像信号と、文字情報データとＧＵＩデータのいずれか一方とを合成する映像処理を行い、ディスプレイ１１４で表示可能なフォーマットの映像信号に変換した後、ディスプレイ１１４に出力して映像表示される。つまり、例えば文字放送にかかる文字情報データと放送番組の映像信号が合成処理された場合、例えば当該番組の視聴の際に字幕が表示される。また、ＧＵＩデータと放送番組の映像信号が合成処理された場合は、番組の映像上に種々の設定メニューが表示される。
【００２０】
また、テレビジョン放送受信装置１１１はＨＤＤ２７０（ハードディスク）を備えるいわゆるハードディスク内蔵テレビであって、ＨＤＤ２７０に対して番組データの録画を行なうことができる。また、制御部２６１の制御に基づいて、ＨＤＤ２７０に記録された番組をディスプレイ１１４に再生することも可能である。
【００２１】
また、テレビジョン放送受信装置１１１は外部機器との接続されるための種々のインターフェースを備えている。例えば、後述する制御部２６１は、カードＩ／Ｆ（Interface）を介して、メモリカードが装着可能なカードホルダに接続されていてもよい。これによって、制御部２６１は、カードホルダに装着されたメモリカードと、カードＩ／Ｆを介して情報伝送を行うことができる。つまり、メモリカードに対して、番組データの記録を行うことや、メモリカードに記録された番組を再生することも可能である。
【００２２】
また、別のインターフェースとしては例えばＵＳＢ（Universal Serial Bus）であってもよい。例えば、制御部２６１は、ＵＳＢ  Ｉ／Ｆ２７１を介してＵＳＢ端子１２３に接続されている。これにより、制御部２６１は、ＵＳＢ端子１２３に接続された機器（例えば、外付けＨＤＤ２８０）と、ＵＳＢ  Ｉ／Ｆ２７１を介して情報伝送することができる。つまり、外付けＨＤＤ２８０に対して、番組データの記録を行うことや、ＨＤＤ２８０に記録された番組を再生することも可能である。
【００２３】
なお、ＨＤＤ２７０やＨＤＤ２８０及びその他の記録媒体に番組の録画を行う際の録画予約メニューや、番組を再生する際のメニューやリストは、ＧＵＩ処理モジュール２５１にて生成される。
【００２４】
テレビジョン放送受信装置１１１における上記した各種の動作（番組の受信動作や録画動作、録画した番組の再生）を含む動作は、制御部２６１によって統括的に制御されている。この制御部２６１は、ＣＰＵ（Central Processing Unit）やマイコン等を内蔵しており、操作部１１６やリモートコントローラ１１７からの操作情報を受けて、その操作内容が反映されるよう各部をそれぞれ制御している。
【００２５】
制御部２６１は、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを備えている。なお、ディスプレイ１１４に文字放送による文字情報が表示されていたということを含めて、文字放送に係る関連情報は例えばＲＡＭ２６１ｂに記憶される。
【００２６】
また、制御部２６１には文字表示制御モジュール２６１ｄが含まれる。文字表示制御モジュール２６１ｄは、文字放送による文字情報がディスプレイ１１４に表示されている際に、ＧＵＩを表示するための操作（例えば操作部１１６やリモートコントローラ１１７のメニュー表示操作）が行われた場合、ディスプレイ１１４に表示された文字情報を一時的に消去するとともにＧＵＩを表示するよう制御する。また、文字情報を一時的に消去するともに、ディスプレイ１１４に文字放送による文字情報が表示されていたということを含めて、文字放送に係る関連情報（サービス内容や消去された時点の文字情報など）をメモリー（例えばＲＡＭ２６１ｂ）に記憶するよう制御する。
【００２７】
また、文字表示制御モジュール２６１ｄは、ＧＵＩに係る操作が終了した後に、ＧＵＩをディスプレイから消去するための操作（例えば操作部１１６やリモートコントローラ１１７のメニュー終了キーの押下げ操作）に応じて、ＧＵＩを消去するとともに、上記したメモリーされた関連情報を用いて、削除していた文字情報を再表示するよう制御する。再表示される文字情報は、一時消去された時点のものと完全に同一でなくても良い。例えば、字幕表示がされていていた場合、再表示される文字情報は、時間が経過した時点（再表示がされた時点）の字幕表示がされていてもよい。また、文字放送にかかる天気予報サービスが実行されていた場合、再表示される文字情報は、一時消去された時点に表示されていた天気予報の文字情報が表示がされていてもよい。すなわち、ＧＵＩを表示するための操作が行われて文字情報が一時消去された際に実行されていた文字放送のサービスがディスプレイ１１４に再表示される。
【００２８】
また、制御部２６１にはリモートコントローラ１１７からのコマンドを受信するコマンド受信モジュール２６１ｅが含まれる。リモートコントローラ１１７からの操作信号は、コマンド受信２６１ｅによりデコードされ、例えば所望チャンネルの選局又は所望の外部入力切換のコマンドが受信されると、制御モジュール２６１は受信した操作信号に基づいて各部を制御し、所望のチャンネルの映像表示や音声再生、あるいは外部入力の切換えが成される。
【００２９】
また、制御モジュール２６１には判定モジュール２６１ｆが含まれる。判定モジュール２６１ｆは、リモートコントローラ１１７から受信するコマンドが、上記した文字情報の再表示の処理を妨げる所定コマンドを含むか否かを判定する。すなわち、文字情報を一時的に消去した後の再表示処理を行う場合に、チャンネル切り替え操作、入力切替操作、録画データの再生操作、番組表上のカーソル操作などの処理が行われると、システム上、文字情報の再表示が上手く行えない場合がある。例えばチャンネル切り替え操作や入力切替操作や番組表上でのカーソル操作が行われると、それに連動してチューナー２４５の動作が切り替わるなどして、文字情報の再表示が上手く行えない場合がある。
【００３０】
かかる不具合を防止する観点から本実施形態では、このような、文字情報の再表示処理を妨げる恐れのある所定コマンドを予めＲＯＭ２６１ａや不揮発性メモリ２６１ｃに記憶しておき、リモートコントローラ１１７から受信するコマンドが当該所定コマンドを含むかを判定する。そして、当該所定コマンドに含まれると判定された場合には、当該所定コマンドを実行させないように制御する。所定コマンドとしては、例えばチャンネル切り替えコマンド、入力切替コマンド、番組表を表示させるためのコマンド（番組表表示コマンド）などである。
【００３１】
また、制御モジュール２６１には確認モジュール２６１ｇが含まれる。確認モジュール２６１ｇは、リモートコントローラ１１７から種々のコマンドを受信するに伴い、ＧＵＩ表示のための操作に応じてディスプレイに表示された文字情報が消去された状態（一時消去状態）であるか否かを確認する。
【００３２】
次に、本実施形態に係るテレビジョン放送受信装置１１１の動作について、図３のフローチャートを参照して説明する。
まず、ユーザーがテレビジョン放送受信装置１１１にて番組を視聴中であり、リモートコントローラ１１７に備わるメニューキーを押下げする（ステップ３０１）。ここでいうメニューキーは、ＧＵＩ処理モジュール２５１にて生成されたＧＵＩをディスプレイ１１４に表示させて各種設定を行うためにユーザーが押下げするメニューキーである。ＧＵＩとしては、上記のとおり、入力切替メニュー、電子番組表（ＥＰＧ）や各番組の詳細情報などの番組表メニュー、録画予約する番組・時間帯・チャンネル・録画画質などを設定するための録画予約メニュー、録画画質設定、映像設定、音声設定などの各種ユーザー設定メニューであり、メニューキーはそれらを表示させるためのキーである。
【００３３】
次に、制御モジュール２６１の制御に基づいて、文字情報がディスプレイ１１４に表示されているか否か、すなわち文字放送に係るサービスを実行しているか否かが判定される（ステップ３０２）。
【００３４】
文字放送に係るサービスが実行されて文字情報が表示中の場合（ステップ３０２のＹｅｓ）、制御モジュール１０８は文字情報を一時消去するよう制御する（ステップ３０３）。この際、制御モジュール１０８は、実行していた文字放送サービスの情報（文字放送に係る関連情報）をメモリー（例えばＲＡＭ２６１ｂ）に記憶する。
【００３５】
ここで記憶されるのは、後述する文字情報の再表示（ステップ３０６）のために用いられる情報であれば特に限定されず、例えば、現在実行されている文字放送サービスの種類、サービスの提供元の情報、ステップ３０３にて消去された時点の文字情報などである。
【００３６】
ユーザーによるメニュー操作が終了（ステップ３０４）した際、制御モジュール２６１の制御に基づいて、ステップ３０３での文字情報の一時消去が行われていたか、すなわちＧＵＩを表示させるために文字情報の一時消去が行われていたかが判定される（ステップ３０５）。
【００３７】
そして、文字情報がステップ３０３にて一時的消去されていた場合（ステップ３０５のＹｅｓ）、メモリーに記憶した文字放送に係る関連情報を用いて、文字情報をディスプレ１１４に再表示する（ステップ３０６）。従って、ユーザはＧＵＩ操作（メニュー操作）を終了させるだけで、ＧＵＩ操作を行う以前に実行していた文字放送サービスに戻ることができる。
【００３８】
また、ＧＵＩを表示させるためのメニュー操作が行われた際に文字情報が表示されていない場合、すなわちＧＵＩを表示させる際に文字放送のサービスを実行していなかった場合（ステップ３０２のＮｏ）は、当然に文字情報の一時的消去も行わず、文字放送に係る関連情報のメモリーへの記憶も行わない。そして、メニュー操作終了時に、文字情報が一時消去されていない場合（ステップ３０５のＮｏ）となる。そのため、文字情報の再表示は行われない。
【００３９】
次に、本実施形態に係るテレビジョン放送受信装置１１１の動作について、図４のフローチャートを参照して説明する。
まず、ユーザーがテレビジョン放送受信装置１１１にて放送番組等を視聴中であり、リモートコントローラ１１７に備わる所定キーを押下げする（ステップ４０１）。
【００４０】
次に、制御モジュール２６１（確認モジュール２６１ｇ）の制御に基づいて、ステップ４０１後の現在の状態が、ＧＵＩを表示させるための操作に応じて文字情報が消去された状態（文字情報の一時消去の状態）であるか否かが判定される（ステップ４０２）。すなわち、ステップ４０１の前にステップ３０３が実行されていたかが判定される。
【００４１】
文字情報の一時消去の状態であった場合（ステップ４０２のＹｅｓ）、制御モジュール２６１（判定モジュール２６１ｄ）の制御に基づいて、ステップ４０１における操作が、文字情報の消去中に操作可能な所定キーの操作か否かが判定される（ステップ４０３）。換言すれば、判定モジュール２６１ｆの制御に基づいて、リモートコントローラ１１７から受信するコマンドが、文字情報の再表示の処理を妨げる所定コマンドを含むか否かが判定される。
【００４２】
ここでいう所定キーは、所定コマンドとして、例えばチャンネル切り替えコマンド、入力切替コマンド、番組表を表示させるためのコマンド（番組表表示コマンド）などをリモートコントローラ１１７から送出するためのキーである。
【００４３】
操作可能なキーであれば（ステップ４０３のＹｅｓ）、当該操作が実行される。操作可能なキーで無いと判定された場合（ステップ４０３のＮｏ）、つまり、文字情報の再表示処理を妨げる所定コマンドであると判定された場合は、当該操作は空振りとなり実行されない（ステップ４０５）。
【００４４】
一方、ステップ４０２にてメニューキーの押下げに応じて文字情報が消去された状態でない場合（ステップ４０２のＮｏ）、文字情報の再表示の処理を妨げることが無いため、当該操作キーによる処理が実行される。
【００４５】
以上のように本実施形態のテレビジョン放送受信装置１１１では、ＧＵＩを表示するための操作（第１の操作）に応じて、ディスプレイに表示された文字情報を一旦消去してＧＵＩを表示し、当該ＧＵＩを消去する操作（第２の操作）に応じてディスプレイに文字情報を再表示するよう制御する。従って、結果としては、文字情報とＧＵＩとが同時に表示出来るシステムと同等に操作出来るため、ユーザの取り扱いが便利となる。
【００４６】
また、本実施形態のテレビジョン放送受信装置１１１では、リモートコントローラ１１７からの受信するコマンドが、文字情報の再表示の処理を妨げる所定コマンドを含むか判定する判定モジュール２６１ｆを備えている。そのため、文字情報の再表示の処理を妨げることが実行されないため、文字情報の再表示をシステム上の不具合無く行うことができる。
【００４７】
また、本実施形態のテレビジョン放送受信装置１１１では、リモートコントローラ１１７からコマンドを受信するに伴い、記文字情報の一時消去の状態であるか否かを確認する確認モジュール２６１ｇを備えている。そのため、判定モジュール２６１ｆによる判定をシステム上効率的に行うことが出来る。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４９】
１１１…テレビジョン放送受信装置、１１２…キャビネット、１１３…支持台、１１４…ディスプレイ、１１５…スピーカ、１１６…操作部、１１７…リモートコントローラ、１１８…受光部、１２３…ＵＳＢ端子、２４３…アンテナ、２４４…入力端子、２４５…チューナ、２４６…分離モジュール、２４７…ＡＶでコーダー、２４８…映像処理モジュール、２４９…文字デコーダー、２５０…文字表示処理モジュール、２５１…ＧＵＩ処理モジュール、２５２…合成処理モジュール、２６１…制御部、２６１ａ…ＲＯＭ、２６１ｂ…ＲＡＭ、２６１ｃ…不揮発性メモリ、２６１ｄ…文字表示制御モジュール、２６１ｅ…コマンド受信モジュール、２６１ｆ…判定モジュール、２６１ｇ…確認モジュール、２７０…ＨＤＤ、２７１…ＵＳＢＩ/Ｆ、２８０…ＨＤＤ。
【図１】
2011041068.tif 000003
【図２】
2011041068.tif 000004
【図３】
2011041068.tif 000005
【図４】
2011041068.tif 000006